(57)【要約】作業車用の油圧回路構造は、ポンプ，作業回路，推進回路，及び，回路セレクタを含む。作業回路は、作業車の作業用部品を駆動するためのアクチュエータに接続されている。推進回路は、作業車のドライブトレーンに接続されて適合したモータを含む。推進回路は、さらに、アキュムレータを含む。回路セレクタは、作業回路及び推進回路にポンプを選択的に接続する。油圧回路構造は、第１モードと第２モードで動作可能である。第１モードにおいては、推進回路がポンプに接続され、作業回路がポンプから遮断される。第２モードにおいては、作業回路がポンプに接続され、推進回路がポンプから遮断される。油圧回路構造が第２モードで動作する場合、アキュムレータに貯蔵されているエネルギを用いて、モータを駆動し、作業車を推進させることができる。【選択図】図１
2015509170.tif 000002
【特許請求の範囲】
【請求項１】
移動型作業車用の油圧回路構造であって、
原動機によって駆動されるように適合され、高圧力側及び低圧力側を有する駆動油圧ポンプと、
少なくとも１つのアクチュエータに接続されるように適合され、前記移動型作業車の作業用部品を駆動する油圧作業回路と、
前記移動型作業車のドライブトレーンに接続されるように適合される推進油圧モータ，及び，油圧アキュムレータを含んだ油圧推進回路と、
前記油圧作業回路と前記油圧推進回路に、前記駆動油圧ポンプの高圧力側を選択的に接続する回路セレクタと、
を含み、
前記油圧回路構造は、
ａ）前記油圧推進回路が、前記駆動油圧ポンプの高圧力側に接続され、かつ、前記油圧作業回路が、前記駆動油圧ポンプの高圧力側から遮断される第１モード、及び、
ｂ）前記油圧作業回路が、前記駆動油圧ポンプの高圧力側に接続され、かつ、前記油圧推進回路が、前記駆動油圧ポンプの高圧力側から遮断される第２モード、
で動作可能であり、
前記油圧回路構造が前記第２モードである場合、前記油圧アキュムレータに貯蔵されているエネルギが用いられ、前記推進油圧モータを駆動し、前記移動型作業車を推進させることができることを特徴とする油圧回路構造。
【請求項２】
前記油圧作業回路と前記油圧推進回路との間の流体連通を提供するクロスオーバ油圧流路をさらに含み、前記クロスオーバ油圧流路を開閉するクロスオーババルブが設けられていることを特徴とする請求項１に記載の油圧回路構造。
【請求項３】
前記クロスオーババルブは、前記クロスオーバ油圧流路を通過する流量を制御することを特徴とする請求項２に記載の油圧回路構造。
【請求項４】
前記クロスオーバ油圧流路は、前記油圧アキュムレータに貯蔵されたエネルギを用いて、前記油圧作業回路の少なくとも１つのアクチュエータを駆動可能にすることを特徴とする請求項２に記載の油圧回路構造。
【請求項５】
前記油圧回路構造は、前記油圧作業回路と前記油圧推進回路の双方が、前記駆動油圧ポンプの高圧力側から油圧流体の流れを全く受け取らない第３モードで動作可能であり、かつ、前記クロスオーバ油圧流路は、前記油圧アキュムレータに貯蔵されたエネルギを用いて、前記油圧作業回路の少なくとも１つのアクチュエータを駆動可能にし、前記油圧アキュムレータに貯蔵されたエネルギは、前記推進油圧モータを駆動することを特徴とする請求項２に記載の油圧回路構造。
【請求項６】
前記推進油圧モータは、可変容量形油圧ポンプ／モータであり、前記油圧回路構造は、前記可変容量形油圧ポンプ／モータによって加圧された油圧流体を用いて、前記油圧アキュムレータをチャージするチャージモードで動作可能であることを特徴とする請求項１に記載の油圧回路構造。
【請求項７】
前記移動型作業車が減速した場合、前記移動型作業車の運動エネルギは、追加の貯蔵エネルギに変換され、前記油圧アキュムレータ内に保存されることを特徴とする請求項６に記載の油圧回路構造。
【請求項８】
前記駆動油圧ポンプは、油圧ポンプ／モータであり、かつ、前記油圧アキュムレータからの油圧流体を、前記油圧ポンプ／モータを駆動するために利用可能であることを特徴とする請求項１に記載の油圧回路構造。
【請求項９】
前記油圧ポンプ／モータは、前記油圧ポンプ／モータが前記油圧アキュムレータからの油圧流体によって駆動される場合に、前記原動機を起動させてもよいことを特徴とする請求項８に記載の油圧回路構造。
【請求項１０】
前記回路セレクタは、１つのバルブを含むことを特徴とする請求項１に記載の油圧回路構造。
【請求項１１】
前記回路セレクタは、複数のバルブを含むことを特徴とする請求項１に記載の油圧回路構造。
【請求項１２】
前記油圧推進回路から前記油圧アキュムレータを選択的に遮断する遮断バルブをさらに含むことを特徴とする請求項１に記載の油圧回路構造。
【請求項１３】
前記油圧推進回路に流体連通する油圧ステアリング回路をさらに含むことを特徴とする請求項１に記載の油圧回路構造。
【請求項１４】
前記移動型作業車はフォークリフトであり、前記原動機は、前記駆動油圧ポンプに機械連結された燃焼機関であり、前記油圧作業回路は、前記少なくとも１つのアクチュエータに油圧連通され、かつ、前記少なくとも１つのアクチュエータは、前記フォークリフトのフォークをリフトするための第１油圧シリンダ，前記フォークをチルトするための第２油圧シリンダ，及び，前記フォークを横方向に移動させるための第３油圧シリンダを含むことを特徴とする請求項１に記載の油圧回路構造。
【請求項１５】
前記第１油圧シリンダはメインステージシリンダであり、前記少なくとも１つのアクチュエータは、さらに、セカンドステージの複数の油圧シリンダを含み、前記セカンドステージの複数の油圧シリンダは、前記フォークリフトの前記フォークをリフトするための、少なくとも１つのセカンドステージシリンダを含むことを特徴とする請求項１４に記載の油圧回路構造。
【請求項１６】
前記油圧推進回路の最大作動圧力は、前記油圧アキュムレータの作動圧力より高いことを特徴とする請求項１２に記載の油圧回路構造。
【請求項１７】
前記油圧推進回路の最大作動圧力は、前記油圧アキュムレータの定格圧力より高いことを特徴とする請求項１２に記載の油圧回路構造。
【請求項１８】
前記駆動油圧ポンプは、単に前記油圧回路構造の駆動油圧ポンプであることを特徴とする請求項１に記載の油圧回路構造。
【請求項１９】
前記駆動油圧ポンプは、チャージポンプを含むことを特徴とする請求項１８に記載の油圧回路構造。
【請求項２０】
移動型作業車用の油圧回路構造であって、
少なくとも１つのアクチュエータに接続されるように適合され、前記移動型作業車の作業用部品を駆動する油圧作業回路と、
前記移動型作業車のドライブトレーンに接続されるように適合される推進油圧モータ，及び，油圧アキュムレータを含んだ油圧推進回路と、
を含み、
前記油圧回路構造は、前記油圧作業回路が前記油圧推進回路から油圧遮断される少なくとも１つのモードで動作可能であり、かつ、前記油圧回路構造は、前記油圧推進回路の前記油圧アキュムレータから前記油圧作業回路へエネルギを伝達する手段を含むことを特徴とする油圧回路構造。
【請求項２１】
原動機によって駆動されるように適合された駆動油圧ポンプ、及び、前記原動機によって駆動されるように適合された作業回路油圧ポンプをさらに含み、前記油圧推進回路の前記油圧アキュムレータから前記油圧作業回路へエネルギを伝達する前記手段は、前記駆動油圧ポンプから前記作業回路油圧ポンプへ動力伝達する軸動力を含むことを特徴とする請求項２０に記載の油圧回路構造。
【請求項２２】
前記原動機と前記駆動油圧ポンプとの間に作動連結されるクラッチをさらに含み、前記軸動力が前記駆動油圧ポンプから前記作業回路油圧ポンプへ動力伝達する場合、前記クラッチは、前記駆動油圧ポンプから前記原動機を切り離すことができることを特徴とする請求項２１に記載の油圧回路構造。
【請求項２３】
前記油圧作業回路と前記油圧推進回路との間を流体連通するクロスオーバ油圧流路をさらに含み、クロスオーババルブが、前記クロスオーバ油圧流路を開閉するように設けられることを特徴とする請求項２０に記載の油圧回路構造。
【請求項２４】
前記油圧推進回路の前記油圧アキュムレータから前記油圧作業回路へエネルギを伝達する前記手段は、前記クロスオーバ油圧流路を開通させることを含むことを特徴とする請求項２３に記載の油圧回路構造。
【請求項２５】
前記駆動油圧ポンプは、単に前記油圧回路構造の駆動油圧ポンプであることを特徴とする請求項２１に記載の油圧回路構造。
【請求項２６】
前記駆動油圧ポンプは、チャージポンプを含むことを特徴とする請求項２５に記載の油圧回路構造。
【請求項２７】
移動型作業車用の油圧回路構造であって、
少なくとも１つのアクチュエータに接続されるように適合され、前記移動型作業車の作業用部品を駆動し、第１回転シャフトに取り付けられた第１回転部材によって油圧駆動される作業回路と、
前記作業回路に流体連通しない油圧推進回路と、
を含み、
前記油圧推進回路は、前記移動型作業車のドライブトレーンに接続されるように適合される推進油圧モータを含み、前記油圧推進回路は、さらに、油圧アキュムレータを含み、かつ、前記油圧推進回路は、前記第１回転シャフトに取り付けられた第２回転部材によって油圧駆動され、前記第２回転部材は、ポンプ／モータであり、
前記第２回転部材をモータとして動作させることにより、前記油圧アキュムレータからのエネルギは、前記第１回転シャフトを介して前記第１回転部材へ伝達され、前記作業回路を油圧駆動することができることを特徴とする油圧回路構造。
【発明の詳細な説明】
【技術分野】
【０００１】
本出願は、PCT国際特許出願として、2013年1月9日に出願されており、かつ、2012年1月9日に出願された米国特許出願第61／584,650号，及び，2012年1月9日に出願された米国特許出願第61／584,630号に対する優先権を主張し、その開示内容はその全体を参照として本明細書に組み込む。
【背景技術】
【０００２】
パレット，ダート，及び／または瓦礫等の資材を移送するために、作業機が用いられる。作業機の例としては、フォークリフト，ホイールローダ，トラックローダ，掘削機，バックホウ，ブルドーザ，テレハンドラ等を含む。これらの作業機は、概して、作業機に接続された作業器具（例えばフォーク）を含む。作業機に取り付けられた作業器具は、概して、油圧システムによって駆動される。油圧システムは、ディーゼルエンジンのような原動機によって駆動される油圧ポンプを含む。油圧ポンプは、一連の複数のバルブによって油圧アクチュエータに接続され、油圧アクチュエータへ流れる加圧油圧流体の流量を制御する。加圧油圧流体は、油圧アクチュエータを伸縮または回転させ、それ故に、作業器具が作動する。
【０００３】
作業機は、さらに、作業機を推進させるために適用される推進システムを含んでもよい。推進システムは、原動機によって駆動される油圧ポンプを含んでもよい。推進システムは、さらに、静圧駆動系統を含んでもよい。
【発明の概要】
【０００４】
本開示における１つの態様は、移動型作業車用の油圧回路構造に関するものである。この油圧回路構造は、駆動油圧ポンプ，油圧作業回路，油圧推進回路，及び，回路セレクタを含む。油圧回路構造は、駆動油圧ポンプとして単一のポンプを含むように適合されることができ、これにより、複数のポンプを購入し、メンテナンスするコストを回避する利益，及び，油圧作業機の設置面積と重量を節約する利益を提供する。
駆動油圧ポンプは、原動機によって駆動されるように適合され、また、高圧力側と低圧力側を有する。油圧作業回路は、少なくとも１つのアクチュエータに接続されるように適合され、移動型作業車の作業用部品を駆動する。油圧推進回路は、推進油圧モータを含み、推進油圧モータは、移動型作業車のドライブトレーンに接続されるように適合される。油圧推進回路は、さらに、油圧アキュムレータを含む。回路セレクタは、油圧作業回路と油圧推進回路に、駆動油圧ポンプの高圧力側を選択的に接続する。油圧回路構造は、第１モード及び第２モードで動作可能である。第１モードにおいて、油圧推進回路は、駆動油圧ポンプの高圧力側に接続され、かつ、油圧作業回路は、駆動油圧ポンプの高圧力側から遮断される。第２モードにおいて、油圧作業回路は、駆動油圧ポンプの高圧力側に接続され、かつ、油圧推進回路は、駆動油圧ポンプの高圧力側から遮断される。油圧回路構造が第２モードである場合、油圧アキュムレータに貯蔵されているエネルギが用いられ、推進油圧モータを駆動し、移動型作業車を推進させることができる。
【０００５】
油圧回路構造は、油圧作業回路が油圧推進回路から油圧遮断される少なくとも１つのモードで動作可能であり、また、油圧アキュムレータから油圧作業回路へエネルギを伝達する手段が提供される。
【０００６】
様々な追加の態様が、後に続く記載において説明される。これらの態様は、個別の特徴及びこれらの特徴の組み合わせを有することが可能である。前述の発明の概要と後述の発明を実施するための形態の両方が、例示的かつ説明的なものでしかなく、本発明において開示される実施形態に基づく広範囲のコンセプトを制限しようとするものではないことが、理解される。
【図面の簡単な説明】
【０００７】
非限定的かつ非包括的実施形態が、必ずしも縮尺通りに描写されていない後述の複数の図と関連して記載され、特記されない限り、いくつかの図を通して同一の参照番号は同一の部品を示している。
【０００８】
【図１】図１は、本開示における原理に従った実施例としての特徴を有する油圧システムの回路図である。
【図２】図２は、図１の油圧システムの制御システムをさらに示している回路図である。
【図３】図３は、図１の油圧システムの第１モードをさらに示している回路図である。
【図４】図４は、図１の油圧システムの第２モードをさらに示している回路図である。
【図５】図５は、図１の油圧システムの第３モードをさらに示している回路図である。
【図６】図６は、図１の油圧システムの第４モードをさらに示している回路図である。
【図７】図７は、図１の油圧システムの第５モードをさらに示している回路図である。
【図８】図８は、本開示における原理に従った実施例としての特徴を有する別の油圧システムの回路図である。
【図９】図９は、本開示における原理に従った図１または図８の油圧システムを含んだ作業車の概略上面図である。
【図１０】図１０は、本開示における原理に従った実施例としての特徴を有するさらなる別の油圧システムの回路図である。
【図１１】図１１は、図１の油圧システムにより使用可能な作業回路の回路図である。
【発明を実施するための形態】
【０００９】
様々な実施形態が図面を参照して詳細に記載され、いくつかの図を通して同一の参照番号は、同一の部品及びアセンブリを示している。様々な実施形態への言及は、添付の請求の範囲を限定しない。さらに、本明細書に記載されている如何なる例も、添付の請求の範囲に対して考えられる一部の実施形態に限定することを意図せず、この一部の実施形態をただ単に説明しているにすぎない。
【００１０】
本開示は、概して、作業車に用いる油圧回路構成に関するものである。本開示の原理に従った油圧回路構成は、推進回路，及び，作業回路を含むことができる。特定の実施形態において、この推進回路と作業回路は、同一の油圧ポンプ構造（例えば、油圧ポンプまたは油圧ポンプ／モータ）により、駆動される。特定の実施形態において、この油圧ポンプ構造は、単一の駆動ポンプ（例えば、１つのポンプのみ，１つのポンピング回転部材のみ，１つのポンプ／モータのみ，等）を含む。特定の実施形態において、推進回路は、油圧アキュムレータ，及び，油圧駆動ポンプ／モータを含み、ドライブトレーンを介して動力伝達される作業車の推進部品（例えば、ホイール，無限軌道等）を駆動することができる。
【００１１】
作業回路は、様々なアクチュエータを含み、リフト，クランプ，ブーム，バケット，カッター，及び／または他の構造のような作業部品に動力供給することができる。この様々なアクチュエータは、油圧シリンダ，油圧モータ等を含んでもよい。望ましい実施形態においては、本開示における油圧構造が、フォークリフト50（図９参照）に用いられ、推進回路が、フォークリフト50の駆動輪54に連結されたドライブトレーン114を駆動し、また、作業回路が、バルブとアクチュエータ（例えば油圧シリンダ）を含み、フォークリフト50のフォーク52を昇降させ，フォーク５２を前後に傾斜させ，かつ，フォーク52を左右に移動させる。
【００１２】
特定の実施形態においては、推進回路においてアキュムレータが用いられ、多くの機能と利益を提供する。例えば、油圧アキュムレータを備えることは、推進回路に動力供給する油圧ポンプ／モータ，及び，原動機が、常に最大効率または最大効率に近い効率で動作することを可能にする。さらに、油圧アキュムレータに蓄積されたエネルギは、油圧ポンプ／モータを駆動するために用いられる動力源（例えば、原動機，ディーゼルエンジン，または他のエンジン）を起動するための動力として、用いられる。
【００１３】
さらに、油圧ポンプ／モータに連結された動力源が作動していないときでさえ、油圧アキュムレータが用いられ、推進機能を提供する。同様に、油圧ポンプ／モータに連結された動力源が作動していないときでさえ、油圧アキュムレータが用いられ、作業回路機能を提供する。その上、ブレーキ／減速現象の間にモータとして推進油圧ポンプ／モータを動作させることにより、作業車の減速に相当するエネルギは、後で再利用するために、油圧アキュムレータにフィードバックされて保存され、作業車の全体効率を高める。
【００１４】
特定の実施形態において、１つ（つまり、単一）の油圧ポンプ／モータ（例えば、図１に示されている油圧ポンプ／モータ102）が用いられ、推進回路と作業回路の両方を駆動する。このような実施形態において、回路セレクタ（つまり、モードセレクタ）が提供され、推進回路か作業回路のどちらかに、油圧ポンプ／モータの高圧側を選択的に流体接続する。この回路セレクタは、１つ以上のバルブを含む。その上、クロスオーババルブが提供され、推進回路と作業回路との間の流体連通を選択的に提供する。クロスオーババルブを開放することにより、油圧アキュムレータからの動力が用いられ、作業回路の１つ以上のアクチュエータを駆動し、これにより、動力源がオフのときでさえ、作業回路のアクチュエータの駆動を可能にする。
【００１５】
回路セレクタが、推進回路にポンプ／モータを流体接続し、作業車を推進させる場合、作業回路の様々な構成要素が、クロスオーババルブを開放することによって駆動される。その上、回路セレクタが、作業回路にポンプ／モータを流体接続している場合、油圧アキュムレータが用いられ、作業車の推進及びステアリングを提供する。当然のことながら、ステアリング要素は、好ましくは、油圧推進回路に組み込まれている。動力源がオフの場合、油圧アキュムレータが用いられ、油圧アキュムレータが、ステアリング要素，推進要素，及び／または作業回路の様々な構成要素に動力供給する。当然のことながら、このような動作は、単独または同時に導かれる。クロスオーババルブは、可変サイズのオリフィスを提供することができる。
【００１６】
特定の実施形態において、動力源に連結された油圧ポンプ／モータは、回転部材及び斜板を有する開回路のポンプ／モータであり、この斜板は調整可能であり、動力源によって駆動されるポンプ／モータのシャフトの１回転当たりの、ポンプ／モータの油圧流体の吐出量を制御する。特定の実施形態において、斜板は、オーバーセンターの構造を有する。ポンプ／モータが、ポンプとして動作しているとき、斜板は、中心から第１側にあり、動力源は、第１方向にポンプ／モータのシャフトを回転させ、油圧流体は、ポンプ／モータによってリザーバ／タンクに流体連通する低圧力側から、回路セレクタに流体連通する高圧力側へくみ上げられる。
【００１７】
ポンプ／モータが、モータとして動作しているとき、斜板は、中心から第２側に移動し、油圧アキュムレータからの油圧流体が、ポンプ／モータによって高圧力側から低圧力側へ方向づけられ、これにより、ポンプ／モータのシャフトが動力源によって駆動されるときに回転するのと同じ方向に、ポンプ／モータのシャフトを回転させる。このように、油圧アキュムレータからの油圧エネルギが用いられ、動力源を使用することを含んだ複数のモードを起動することができる。
【００１８】
さらに、推進用ポンプ／モータは、リザーバ／タンクに接続された低圧力側と、回路セレクタによって動力源に連結された油圧ポンプ／モータに接続された高圧力側とを有する開回路のポンプ／モータである。推進用ポンプ／モータは、回転部材と斜板を含み、斜板は調整可能であり、推進用ポンプ／モータのシャフトの１回転当たりの推進用ポンプ／モータの吐出量を制御することができる。斜板は、オーバーセンターの斜板であり、推進用ポンプ／モータのシャフトの双方向回転を許容する。例えば、斜板が中心から第１側にあるとき、ポンプ／モータを通過して高圧力側から低圧力側へ流れる油圧流体が、時計回りの方向にシャフトを駆動させる。それに対して、斜板が中心から第２側にあるとき、推進用ポンプ／モータを通過して高圧力側から低圧力側への方向に流れる油圧流体が、反時計回りの方向にシャフトを回転させる。
【００１９】
このようにして、推進用ポンプ／モータは用いられ、作業車を前後方向に駆動する。さらに、ブレーキ現象の間、推進用ポンプ／モータは、ポンプとして機能し、リザーバから油圧アキュムレータへ油圧流体を方向付け、油圧アキュムレータをチャージすることができ、これにより、減速に伴うエネルギを回収する。従って、推進用ポンプ／モータ，及び，油圧アキュムレータは、ブレーキ／減速とエネルギ貯蔵機能を提供する。
【００２０】
当然のことながら、他の実施形態（例えば、図８に示されている実施形態）において、非オーバーセンターポンプ／モータと組み合わせて、バルブを操作して、上述したオーバーセンターポンプ／モータと同様または類似した機能を提供することができる。非オーバーセンターポンプ／モータ，及び，バルブは、図８に示されているように動力源に連結された油圧ポンプ／モータとして、用いられることが可能であり、かつ／または、ドライブトレーンに連結された比例油圧ポンプ／モータとして用いられることが可能である。
【００２１】
本開示における原理に従って、図１〜７に示されているような油圧システム100（つまり、油圧回路構造）が適用されて、作業機50（つまり、作業車，移動作業車，フォークリフト，リフトトラック，フォークトラック，ホイールローダ，掘取機，掘削機，バックホウローダ等）のドライブトレーン114を駆動する。この油圧システム100がさらに適用されて、作業機50の作業回路300を駆動する。油圧システム100が適用されて、作業機50のステアリング制御ユニット600（例えば、油圧ステアリング回路）を駆動してもよい。
【００２２】
図９に示されているように、作業機50は、作業用アタッチメント52（例えば、フォーク，作業用部品等），少なくとも１つの駆動輪54，及び，少なくとも１つの操舵輪56を含む。特定の実施形態において、１つ以上の駆動輪54は、１つ以上の操舵輪56と組み合わされてもよい。特定の実施形態において、作業機50は、単一の駆動油圧ポンプのみを含んでもよい。
【００２３】
油圧システム100が適用されて、油圧アキュムレータ116においてエネルギを回収・保存し、そのエネルギを再利用する。例えば、作業機50が減速したとき、ドライブトレーン114は、油圧システム100に運動エネルギを供給することができ、これにより、油圧アキュムレータ116にその運動エネルギを保存することができる。油圧システム100は、さらに、適用されて、油圧アキュムレータ116内に保存されたエネルギを用いて、作業機50の原動機104（例えば、内燃機関）を迅速に起動する。油圧システム100が適用されて、油圧アキュムレータ116から油圧動力を引き出すことによって動作している原動機104を用いずに、ドライブトレーン114，作業回路300，及び／または，ステアリング制御ユニット600を駆動してもよい。
【００２４】
特定の実施形態において、原動機104は、単一の油圧ポンプのみを駆動する。特定の実施形態において、原動機104は、単一の油圧ポンプのみを駆動し、ドライブトレーン114及び作業回路300を駆動する。特定の実施形態において、原動機104は、単一の油圧ポンプのみを駆動し、少なくともドライブトレーン114及び作業回路300を駆動する。特定の実施形態において、原動機104は、単一の油圧ポンプのみを駆動し、ドライブトレーン114，作業回路300，及び，ステアリング制御ユニット600を駆動する。特定の実施形態において、原動機104は、単一の油圧ポンプのみを駆動し、ドライブトレーン114，作業回路300，及び，ステアリング制御ユニット600を少なくとも駆動する。
【００２５】
油圧システム100は、（例えば、運転者によって）作業機50にセットされる要求に応じて、様々なモードで作動する。制御システム500は、作業機50のオペレータインタフェース506を監視し、さらに、油圧システム100の様々なセンサ510及び動作パラメータを監視する。図２に示されているように、信号線508が、制御システム500との通信を容易にする。制御システム500は、オペレータインタフェース506から受信する入力を評価する。
【００２６】
特定の実施形態において、電子制御ユニット502は、油圧システム100の様々なセンサ510及び動作パラメータを監視し、油圧システム100を最も適切なモードに構成する。このモードは、図３に示されているような作業回路主要モード82，図４及び５に示されているようなハイブリッド駆動モード84，及び，図６及び７に示されているような静圧モード86を含む。電子制御ユニット502は、オペレータインタフェース506，原動機104，及び環境条件（例えば、周囲の温度）を監視することができる。メモリ504（例えば、RAMメモリ）が、電子制御ユニット502に用いられてもよく、このメモリ504は、実行コード，動作パラメータ，オペレータインタフェース506からの入力等を保存する。
【００２７】
作業回路主要モード82（図３参照）において、原動機104からの動力が、油圧システム100により作業回路300に直接供給され、また、油圧アキュムレータ116からの動力が、油圧システム100によりドライブトレーン114に供給される。特定の実施形態において、ステアリング制御ユニット600用の動力が、作業回路主要モード82において油圧アキュムレータ116から、さらに取り出される。
【００２８】
ドライブトレーン114からの動力要求が、低い，比較的低い，かつ／若しくは，低いと予測される場合、かつ／または、作業回路300からの動力要求，及び／または，油圧流体要求が、高い，比較的高い，かつ／若しくは，高いと予測される場合、作業回路主要モード82が選択される。このような条件は、例えば、作業機50が遅く移動しているか，または，静止しており、かつ、作業用アタッチメント52が広範囲，かつ／または，高負荷で用いられる場合に起き得る。作業回路主要モード82において、ステアリング制御ユニット600は、油圧アキュムレータ116から動力を受け取ることができる。
【００２９】
ドライブトレーン114からの動力要求が作業回路300の動力要求より優先される場合、ハイブリッド駆動モード84（図４及び５）が用いられる。このハイブリッド駆動モード84は、さらに、作業機50の減速からエネルギを再度獲得することが望ましい場合においても、用いられる。ハイブリッド駆動モード84は、さらに、原動機104を全く作動させずに，または，常時作動させずに作業機50に動力供給するために用いられてもよい。
【００３０】
例えば、ハイブリッド駆動モード84は、アキュムレータ116内に十分な圧力が存在すれば、原動機104を停止させることを可能にする。油圧アキュムレータ116の枯渇にあたる低圧に対して、ハイブリッド駆動モード84は、原動機104を再起動し、これより、油圧アキュムレータ116を再びチャージし、さらに、原動機104から作業機50へ動力を供給する。ハイブリッド駆動モード84において、ステアリング制御ユニット600は、油圧アキュムレータ116，及び／または，原動機104から動力を受け取ることができる。
【００３１】
ドライブトレーン114の動力要求が高い，比較的高い，かつ／または，高いと予測される場合、静圧モード86（図６及び７参照）が用いられる。例えば、作業機50が高速で運転される場合，作業機50が斜面を上がる場合，かつ／または，ドライブトレーン114に高負荷がかかる場合である。ドライブトレーン114の動力要求が、油圧アキュムレータ116内の圧力を必要とするほど十分高く、油圧アキュムレータ116の定格圧力，及び／または，作動圧力を超えている場合、静圧モード86が用いられる。
【００３２】
単独で用いられるモード（例えば、静圧モード86）と、油圧アキュムレータ116が接続されるモード（例えば、ハイブリッド駆動モード84）との間で、油圧アキュムレータ116が切り替えられるため、油圧システム100の油圧アキュムレータ116の定格圧力，及び／または，作動圧力を、それに応じて下げることができる。静圧モード86において、ステアリング制御ユニット600は、原動機104から動力を受け取ることができる。
【００３３】
制御システム500は、作業回路主要モード82，ハイブリッド駆動モード84，及び／または，静圧モード86間を迅速に切り替えて、油圧システム100を作業機50の要求に対して継続的に調整することができる。
【００３４】
ここで図１を参照すると、油圧システム100が回路図として示されている。この油圧システム100は、ポンプ／モータ102に接続される原動機104によって駆動される。特定の実施形態において、ポンプ／モータ102は、ポンプに取って代わってもよい。図に示されているように、油圧システム100は、油圧ポンプ／モータ102が単一のポンプ／モータ（または単一のポンプ）となり、ドライブトレーン114，作業回路300，及び／または，ステアリング制御ユニット600を駆動することを可能にする。
【００３５】
単一のポンプ／モータ（または単一のポンプ）を備えた油圧システム100を構成することにより、油圧システム100のコストが軽減され、油圧システム100の重量が軽減され、追加部品への寄生損失が軽減されることよって油圧システム100の効率が向上し、かつ／または、油圧システム100のパッケージサイズが減少する。
【００３６】
図に示されているように、油圧ポンプ／モータ102及び原動機104は、エンジンポンプアセンブリ106にアセンブリされている。特定の実施形態において、原動機104は、単一の回転方向（例えば、時計回りの方向）で回転するため、油圧ポンプ／モータ102も、さらに、原動機104のその単一の回転方向で回転することができる。動力は、シャフトにより油圧ポンプ／モータ102と原動機104との間で伝達される（例えば、油圧ポンプ／モータ102の入力／出力シャフトが、原動機104のクランクシャフトに接続されている）。
【００３７】
油圧ポンプ／モータ102が、油圧アキュムレータ116，ドライブトレーン114，作業回路300，及び／または，ステアリング制御ユニット600へ油圧動力を供給する場合、この動力は、概して、原動機104から油圧ポンプ／モータ102へ伝達される。油圧ポンプ／モータ102が、エンジンブレーキ等の間において原動機104を起動する場合、この動力は、油圧ポンプ／モータ102から原動機104へ伝達される。
【００３８】
油圧ポンプ／モータ102は、可変容量形ポンプ／モータであってもよい。油圧ポンプ／モータ102は、オーバーセンターポンプ／モータであってもよい。油圧ポンプ／モータ102は、タンク118から低圧力通路440を経由して油圧流体を受け取る入口102l（つまり低圧側）を含み、かつ、油圧ポンプ／モータ102は、油圧ポンプ／モータ102の高圧力通路400に接続された出口102h（つまり高圧側）を含む。原動機104が油圧ポンプ／モータ102に動力を供給する場合、油圧流体は、タンク118からくみ上げられ、油圧ポンプ／モータ102の入口102lに引き入れられ、油圧ポンプ／モータ102の出口102hから高圧で放出される。
【００３９】
特定の実施形態において、動力は、油圧ポンプ／モータ102から原動機104へ供給されてもよく、この場合、油圧ポンプ／モータ102の斜板が中央部を越えて位置し、高圧力通路400からの高圧油圧流体が油圧ポンプ／モータ102によって逆方向に送られ、低圧力通路440そしてタンク118に放出される。あるいは、図８に示されているように、油圧システム100’の逆転バルブ103が用いられ、油圧ポンプ／モータ102と同様の油圧ポンプ／モータ102’によって原動機104を逆駆動してもよい。
【００４０】
流れ制御装置202（例えば、リリーフバルブ）が、高圧力通路400に接続されて備えられている。高圧力通路400内の油圧流体圧力が所定の上限に到達すると、流れ制御装置202は開放され、タンク118に油圧流体の一部を放出し、これにより、高圧力通路400が超過圧力条件に達することを防止する。
【００４１】
流れ制御装置206が、高圧力通路400と作業回路300の高圧力通路406との間に接続されている。図に示されている実施形態における流れ制御バルブ206は、作業回路バルブである。
【００４２】
流れ制御装置208が、高圧力通路400と高圧力通路402との間に接続されている。図に示されているように、高圧力通路402は、ポンプ／モータ108の入口108h（つまり、高圧側）に接続されている。流れ制御装置208は、遮断バルブであってもよい。特定の実施形態において、流れ制御装置206及び流れ制御装置208は、組み合わせて単一の三方バルブ207にしてもよい（図８参照）。
【００４３】
高圧力通路402は、流れ制御装置210によって油圧アキュムレータ116に接続されている。図に示されている実施形態において、流れ制御装置210は、油圧アキュムレータ116用の遮断バルブである。図に示されている実施形態において、流れ制御装置210及び油圧アキュムレータ116は、アキュムレータ通路404によって接続される。
【００４４】
高圧力通路402は、さらに、流れ制御装置212，及び，もう１つの流れ制御装置224によって、高圧力通路406に接続されている。図に示されている実施形態において、流れ制御装置212は、Valvistor（登録商標）比例流れ制御装置であり、また、流れ制御装置224はチェックバルブであり、油圧流体が高圧力通路406から高圧力通路402へ流入することを防止する。図に示されている実施形態において、流れ制御装置212及び224は、高圧力通路402と高圧力通路406を接続するクロスオーバ流路408に順次接続されている。他の実施形態において、単一の流れ制御装置が、クロスオーバ流路408内に用いられてもよい。
【００４５】
作業機50の推進システムの特定の様態をここで説明する。この推進システムは、ポンプ／モータ108を含み、出力シャフト110によりドライブトレーン114へ動力を伝達し、また、ドライブトレーン114から動力を受け取る。特に、出力シャフト110は、ギアボックス112に接続されている。図９に示されているように、ギアボックス112は、一対の駆動輪54に接続されたディファレンシャルを含む。他の実施形態において、油圧ポンプ／モータが、駆動輪54の其々に備えられ、ディファレンシャルが用いられなくてもよい。ドライブトレーン114に動力を送る場合、ポンプ／モータ108は、作業機50を加速させることができ、作業機50に斜面を上がらせることができ、かつ／または、さもなければ、作業機50の全体を移動させることができる。
【００４６】
作業機50が減速、かつ／または、斜面を下る場合、ポンプ／モータ108は、ドライブトレーン114からエネルギを受け取ることができる。油圧システム100がハイブリッド駆動モード84または作業回路主要モード82である場合、ポンプ／モータ108は、油圧アキュムレータ116へ油圧エネルギを送ることができる。特に、ポンプ／モータ108は、低圧力通路440を経由してタンク118から油圧流体を受け取ることができ、油圧流体を加圧し、流れ制御装置210とアキュムレータ通路404を経て、その加圧流体を、油圧アキュムレータ116へ送ることができる。
【００４７】
ポンプ／モータ108は、油圧アキュムレータ116または油圧ポンプ／モータ102からの油圧動力によって、駆動されてもよい。特に、油圧システム100が作業回路主要モード82である場合、図３に示されているように、ポンプ／モータ108は、油圧アキュムレータ116からの油圧動力を受け取る。油圧システム100がハイブリッド駆動モード84である場合、図４及び５に示されているように、ポンプ／モータ108は、油圧ポンプ／モータ102，油圧アキュムレータ116，または，油圧ポンプ／モータ102と油圧アキュムレータ116の両方からの油圧動力を受け取ることができる。
【００４８】
油圧システム100が静圧モード86である場合、図６及び７に示されているように、ポンプ／モータ108は、油圧ポンプ／モータ102からの油圧動力を受け取る。しかしながら、ポンプ／モータ108は、油圧ポンプ／モータ102へ動力を供給してもよく、これにより、原動機104がエンジンブレーキを提供することができる。
【００４９】
リリーフバルブ214が、高圧力通路402とタンク118との間に接続されてもよい。ポンプ／モータ制御圧力バルブ220（例えば、減圧バルブ）を手段として、高圧力通路402からのフィードバックが、油圧ポンプ／モータ102に与えられてもよい。特に、フィルタ装置222は、高圧力通路402と、このポンプ／モータ制御圧力バルブ220との間に接続されて、使用される。ポンプ／モータ制御圧力バルブ220は、油圧ポンプ／モータ102へ圧力信号を送信し、これにより、特定の実施形態，及び／または，特定のモードにおいて、油圧ポンプ／モータ102を制御することができる。
【００５０】
図に示された実施形態において、ステアリング制御ユニット600は、高圧力通路402から油圧動力を受け取る。特に、中間圧力ステアリング通路420が、ステアリングフィードバルブ218（例えば、流れ制御バルブ），及び，ステアリングフィードバルブ216（例えば、減圧バルブ）を経て、高圧力通路402に接続されている。リターン通路442が、ステアリング制御ユニット600とタンク118との間に接続されている。
【００５１】
様々な部品が、マニホールドブロック200に含まれる。例えば、流れ制御装置202，206，208，210，212、リリーフバルブ214、ポンプ／モータ制御圧力バルブ220、装置222、及び／または、流れ制御装置224が、マニホールドブロック200に含まれる。
【００５２】
ここで図２を参照すると、制御システム500の回路図が、油圧システム100の回路図と共に示されている。図に示されているように、油圧システム100は、油圧システム100の状態を示している複数のセンサを監視する。制御システム500は、さらに、オペレータインタフェース506を監視し、これにより、オペレータが油圧システム100を統制することを可能にし、その結果、作業機５０を統制する。制御システム500の電子制御ユニット502は、様々なモードにおける油圧システム100を構成するための計算を行うことができ、これにより、最適なモードを決定し、所与の作業条件，及び，所与のオペレータ入力に対する最適なモードを選択する。
【００５３】
特定の条件下において、油圧システム100のモードが選択され、作業機50の燃料効率を最大化する。他の条件における油圧システム100のモードは、油圧システム100の性能、つまり作業機50の性能を最大限にするように選択される。電子制御ユニット502は、作業機50が繰り返し行う作業サイクルを学習してもよい。作業サイクルを学習することにより、電子制御ユニット502は、作業サイクルに対する効率を最大化することができ、また、作業機50が作業サイクル内にあるときを識別することができる。電子制御ユニット502は、作業機50が行っている作業サイクルに応じて、其々モードを切り替えることができる。
【００５４】
作業サイクルにわたってモードを切り替えることにより、油圧システム100の様々なパラメータが、効率または性能のうえで最適化される。例えば、油圧アキュムレータ116の圧力チャージ，油圧ポンプ／モータ102及び／またはポンプ／モータ108の斜板の角度，及び／または，原動機104を起動停止させるタイミングが、作業機50の作業サイクルに基づいて決定される。制御システム500は、従来型の作業機をエミュレートしてもよく、作業機50は、オペレータに対してまるで従来型の作業機のように動作する。
【００５５】
ここで図３を参照すると、作業回路主要モード82が示されている。作業回路主要モード82は、作業用アタッチメント52が大重量用，支持用，及び／または，油圧流体の体積流量が多く必要とされる場合に、制御システム500によって選択される。作業機50のドライブトレーン114は、作業回路主要モード82で操作可能である。特に、油圧アキュムレータ116は、ポンプ／モータ108に動力を供給し、また、ポンプ／モータ108から動力を受け取ることができる。
【００５６】
油圧アキュムレータ116が所与のレベルまで枯渇すると、制御システム500は、ハイブリッド駆動モード84に油圧システム100を迅速に切り替え、油圧アキュムレータ116を再チャージすることができる。油圧アキュムレータ116が所与の圧力レベルまで再チャージされると、制御システム500は、作業回路主要モード82に油圧システム100を戻す。
【００５７】
ここで図４を参照すると、ハイブリッド駆動モード84が示されている。特に、ハイブリッドモード84aが示されている。このハイブリッドモード84aは、油圧ポンプ／モータ102と，油圧アキュムレータ116と，ポンプ／モータ108との間でエネルギを交換することを可能にする。特に、油圧ポンプ／モータ102は、油圧アキュムレータ116を再チャージするために、油圧アキュムレータ116に油圧動力を供給してもよい。油圧ポンプ／モータ102は、ポンプ／モータ108に、単独、または、油圧アキュムレータ116と同時に動力を提供し、作業機50を推進させてもよい。
【００５８】
油圧アキュムレータ116は、原動機104を起動させるために、油圧ポンプ／モータ102に動力を供給してもよい。単独、または、油圧ポンプ／モータ102と同時に、油圧アキュムレータ116が、ポンプ／モータ108に動力を供給し、作業機50を推進させてもよい。ポンプ／モータ108が、油圧アキュムレータ116に油圧流体動力を供給し、これにより、油圧アキュムレータ116をチャージしてもよい。単独、または、アキュムレータ116と同時に、ポンプ／モータ108が、油圧ポンプ／モータ102に動力を供給してもよい。
【００５９】
油圧ポンプ／モータ102への動力供給は、原動機104を起動するため，かつ／または，（例えば、油圧アキュムレータ116が満杯であるときに）エンジンブレーキを提供するために、行われる。油圧システム100がハイブリッドモード84aにある場合、作業回路300は、油圧流体動力から切り離される。この場合、作業回路300からの油圧動力要求がない。
【００６０】
ここで図５を参照すると、ハイブリッド駆動モード84が再度示されている。特に、ここではハイブリッドモード84bが示されている。このハイブリッドモード84bは、クロスオーバ流路408が開通し、高圧力通路402からの油圧流体動力が、作業回路300に供給されることを許容する以外、ハイブリッドモード84aと同様である。ハイブリッドモード84bにおいて、油圧ポンプ／モータ102，油圧アキュムレータ116，及び／または，ポンプ／モータ108が、作業回路300に油圧動力を供給する。
【００６１】
ハイブリッド駆動モード84は、作業機50が並の作業負荷を受けている場合，及び／または，油圧システム100の高効率、及び／若しくは、ドライブトレーン114からのエネルギ回収が望まれている場合に、用いられるのが好ましい。
【００６２】
ここで図６を参照すると、静圧モード86が示されている。特に、ここでは静圧モード86aが示されている。静圧モード86aは、作業機50のドライブトレーン114が高負荷にある場合に、用いられる。例えば、作業機50が高トルク／パワーで駆動される場合，及び／または，作業機50が斜面を上がる場合である。油圧システム100が静圧モード86aで動作している場合、高圧力通路400及び高圧力通路402内の油圧は、作業圧力，及び／または，油圧アキュムレータ116の定格圧力を超える。ハイブリッド駆動モード84と静圧モード86との間を切り替えることにより、油圧システム100は、タスクを実行し、油圧アキュムレータ116を高圧力にさらすことなく、高圧力通路402内が高圧力になることをもたらす。
【００６３】
従って、このハイブリッド駆動モード84の利益は、アキュムレータ116が、油圧ポンプ／モータ102の最大圧力定格に釣り合うような圧力定格を有することを必要とせずに、享受される。流れ制御装置210を用いてアキュムレータ116をバイパスする（例えば、遮断する）ことにより、油圧システム100は、アキュムレータ116が所望の作業圧力まで加圧されることを待つ必要がない。油圧システム100が静圧モード86aである場合、作業回路300は、油圧流体動力から切り離される。この場合、作業回路300からの油圧動力要求がない。
【００６４】
ここで図７を参照すると、静圧モード86がさらに示されている。ここでは特に、静圧モード86bが示されている。この静圧モード86bは、クロスオーバ流路408が開通し、高圧力通路402からの油圧流体動力が、作業回路300に供給されることを許容する以外、静圧モード86aと同様である。静圧モード86bにおいては、油圧ポンプ／モータ102，及び／または，ポンプ／モータ108が、作業回路300に油圧動力を供給する。
【００６５】
ここで図８を参照すると、本開示の原理に従った第２実施形態を形成するシステムが示されている。このシステムは、上述した油圧システム100’を含む。概念と特徴の多くは、図１〜７に示されている第１実施形態と同様であり、ここで、第１実施形態における記載が、第２実施形態に対する記載として組み込まれる。同様または類似した特徴または要素が表れている場合には、同一の参照番号が、可能な限り用いられている。第２実施形態に対する以下の記載は、主として、第１実施形態と第２実施形態との間の違いに限定している。
【００６６】
油圧システム100’において、油圧システム100の流れ制御装置206及び208は、単一の三方バルブ207に置き替えられている。さらに、油圧システム100の流れ制御装置212及び224は、オンオフ電気制御バルブ212’及び定流量弁224’に置き替えられている。このオンオフ電気制御バルブ212’及び定流量弁224’は、さらに、本開示における他の実施形態において代用されることが可能である。同様に、油圧システム100の流れ制御装置212及び224は、この第２実施形態において代用されることが可能である。
【００６７】
ここで図９を参照すると、作業機50の配置図が示されている。ここで示されている実施形態において、作業機50は、フォークトラックである。
【００６８】
ここで図１０を参照すると、本開示の原理における第３実施形態を形成するシステムが、概略的に示されている。このシステムは、油圧システム100’’を含む。油圧システム100と同様に、油圧システム100’’は、作業回路300に動力供給する。しかしながら、油圧システム100’’において、油圧ポンプ107が用いられ、作業回路300に油圧動力を供給する。ここで、油圧ポンプ107は、シャフト109によってポンプ／モータ102’’に接続されている。クラッチ105が、原動機104と油圧ポンプ／モータ102’’との間に動作可能に接続されている。さらに、低圧力アキュムレータ117（例えば、貯蔵アキュムレータ）が含まれ、このアキュムレータ117は、油圧ポンプ／モータ102’’の低圧力側に接続されている。
【００６９】
油圧ポンプ／モータ102’’の斜板をゼロの変位角にすることにより、動力が、原動機104からクラッチ105を経由して油圧ポンプ107内に流れることを可能にする。これより、原動機104からの動力が、作業回路300に直接動力供給される。原動機104が作業回路300に直接動力供給している間、油圧アキュムレータ116は、ポンプ／モータ108に動力供給すること，ポンプ／モータ108から動力を受け取ることのいずれも行うことができる。このように、油圧システム100’’は、図３に示されている作業回路主要モード82と同類のモードを有する。
【００７０】
油圧アキュムレータ116からの油圧動力は、原動機104を起動するために用いられてもよい。特に、油圧動力は、油圧アキュムレータ116から流れ制御装置210を経由して油圧ポンプ／モータ102’’へ流れる。クラッチ105が油圧ポンプ／モータ102’’に係合されているため、油圧ポンプ／モータ102’’は、原動機104を起動することができる。
【００７１】
油圧ポンプ／モータ102’’，油圧アキュムレータ116，ポンプ／モータ108，及び，原動機104は、ハイブリッド駆動モード84と同類のハイブリッド駆動モードで動作することができる。油圧動力が作業回路300から必要とされる場合、油圧ポンプ107は、シャフト109を介して油圧ポンプ／モータ102’’から動力を受け取ることができる。このように、油圧システム100’’は、図５に示されているハイブリッド駆動モード84bと同類のモードをさらに有する。
【００７２】
油圧アキュムレータ116は、流れ制御装置210を閉鎖することによって、ポンプ／モータ108から遮断されることが可能である。このようにして、油圧システム100’’は、静圧モード86と同類の静圧モードで動作することもできる。作業回路300が油圧動力を必要とする場合、油圧ポンプ107は、シャフト109を介して油圧ポンプ／モータ102’’から動力を受け取ることができる。
【００７３】
ここで図１１を参照すると、例示的な作業回路300の詳細な回路図が示されている。作業回路300は、作業機50の作業用アタッチメント52を駆動するためのものである。この実施形態に示されているように、作業回路300は、ポンプポート302を有し、このポンプポート302は、高圧力通路406を経由してポンプ／モータ102に接続されている。作業回路300は、さらに、タンクポート304を有し、このタンクポート304は、（低圧力通路440を経由して）リザーバまたはタンク118に接続されている。
【００７４】
作業回路300は、さらに、作業用アタッチメントのリフト機能を可能にする第１バルブ306，作業用アタッチメントのチルト機能を可能にする第２バルブ308，及び，作業用アタッチメントのサイドシフト機能を可能にする第３バルブ310を含む。図１１に示されている特定の実施形態において、バルブ306，308，310は、スプール及びスリーブタイプの比例バルブである。
【００７５】
第１バルブ306は、ポート302からの加圧流体を、作業用アタッチメント52に機械的に連結されている油圧リフトシリンダ312，314のいずれか，または，双方へ選択的に供給するように配置構成されている。このバルブ306の作動は、リフト機能として作業用アタッチメント52を選択的に昇降させる。リフトシリンダ312，314のリフト速度は、バルブ306を通過する流量で決まる。
【００７６】
バルブ306を通過する流量は、バルブ306のスプールの両端部に作用する一対の可変ソレノイドアクチュエータ322，326によって制御される。この可変ソレノイドアクチュエータ322，326は、制御システム500により制御ライン324，328を経由して其々動作することができる。あるいは、特定の実施形態において、バルブ306を通過する流量は、レバーによって制御される。
【００７７】
第２バルブ308は、ポート302からの加圧流体を、作業用アタッチメント52に機械的に連結されている油圧チルトシリンダ316，318のいずれか，または，双方へ選択的に供給するように配置構成されている。このバルブ308の作動は、チルト機能として作業用アタッチメント52を選択的に前後にチルトさせる。
【００７８】
バルブ308を通過する流量は、バルブ308のスプールの両端部に作用する一対の可変ソレノイドアクチュエータ330，334によって制御される。この可変ソレノイドアクチュエータ330，334は、制御システム500により制御ライン332，336を経由して其々動作することができる。あるいは、特定の実施形態において、バルブ308を通過する流量は、レバーによって制御される。
【００７９】
第３バルブ310は、ポート302からの加圧流体を、作業用アタッチメント52に機械的に連結されている油圧サイドシフトシリンダ320へ選択的に供給するように配置構成されている。このバルブ310の作動は、サイドシフト機能として作業用アタッチメント52を選択的に左右に移動させる。
【００８０】
バルブ310を通過する流量は、バルブ310のスプールの両端部に作用する一対の可変ソレノイドアクチュエータ338，342によって制御される。この可変ソレノイドアクチュエータ338，342は、制御システム500により制御ライン340，344を経由して其々動作することができる。あるいは、特定の実施形態において、バルブ310を通過する流量は、レバーによって制御される。
【００８１】
特定の実施形態において、上述した複数の機能または一連の機能が、単一の駆動ポンプ要素（例えば、単一のポンプ，単一のポンプ／モータ，単一のポンピング回転部材等）によって、実現される。ここで用いられている用語としての“ポンプ”は、１つの機能を提供するのに十分な期間にわたって、低圧力から高圧力に流体を移送する能力を意味している。この単一の駆動ポンプは、チャージポンプを含んでもよい。ここで用いられる用語としての“駆動ポンプ”及び“駆動油圧ポンプ”は、原動機によって駆動される（例えば、直接機械的に駆動される）ポンプまたはポンプ／モータを示している。
【００８２】
上述した様々な実施形態は、例として提供されただけであり、添付の請求の範囲を限定するように解釈されるべきではない。当業者は、本明細書において示された例示的な実施形態及び適用例に続くことなく、かつ、本開示における真の精神と範囲から離れることなしに、行われる様々な修正と変更を容易に認識するであろう。
【図１】
2015509170.tif 000003
【図２】
2015509170.tif 000004
【図３】
2015509170.tif 000005
【図４】
2015509170.tif 000006
【図５】
2015509170.tif 000007
【図６】
2015509170.tif 000008
【図７】
2015509170.tif 000009
【図８】
2015509170.tif 000010
【図９】
2015509170.tif 000011
【図１０】
2015509170.tif 000012
【図１１】
2015509170.tif 000013
【国際調査報告】
2015509170.tif 000014
2015509170.tif 000015
2015509170.tif 000016
2015509170.tif 000017